(57)【要約】【課題】光学部品の光軸の調整を安価に容易に行うことができる光学部品アライメント治具を得る。【解決手段】光学部品アライメント治具は、光軸を有するレンズ２及びレンズ保持具１を設置し切欠部１０を有する回転台３と、回転台３を設置するベース板５と、回転台３をベース板５上に支持する固定ネジ６と、回転台３の切欠部１０と接するようにベース板５に設置され、回転中心と外周円が偏心したカム４とを備え、カム４を回転させ、回転台３を固定ネジ６ａを支点として回転させることにより、レンズ２の光軸を調整する。【選択図】図１
2008145528.tif 000002
【特許請求の範囲】
【請求項１】
光軸を有する光学部品を設置し、切欠部を有する回転台と、
上記回転台を設置するベース板と、
上記回転台を上記ベース板上に支持する固定ネジと、
上記回転台の切欠部と接するように上記ベース板に設置され、回転中心と外周円が偏心したカムとを備え、
上記カムを回転させ、上記回転台を上記固定ネジを支点として回転させることにより、上記光学部品の光軸を調整することを特徴とする光学部品アライメント治具。
【請求項２】
上記カムと接する上記切欠部にテーパ部を有することを特徴とする請求項１記載の光学部品アライメント治具。
【請求項３】
上記テーパ部と上記カムが２点で接することを特徴とする請求項２記載の光学部品アライメント治具。
【請求項４】
上記回転台を、上記回転台の回転の支点となる上記固定ネジから上記カムの方向に、上記ベース板に対して水平方向に付勢するバネを備えることを特徴とする請求項１記載の光学部品アライメント治具。
【発明の詳細な説明】
【技術分野】
【０００１】
この発明は、光学部品の光軸を調整する光学部品アライメント治具に関するものである。
【背景技術】
【０００２】
従来の光学機器は、例えば特許文献１で示すようなレーザ装置があり、このレーザ装置は、図４で示すように、レンズ１０８，レンズ１０９，レンズ１１０，レンズ１１１，レンズ１１２、ミラー１０６及びミラー１０７の数多くの光学部品を使用する。これらの光学部品は、多くの場合、例えば±０．０００５８度以下という非常に高い精度でアライメント（方向合わせ）をする必要がある。このため、レーザ装置の筐体内で光学部品を保持し、かつアライメントするためには光学部品アライメント治具が必要であり、この光学部品アライメント治具は、例えば非特許文献１のように、マイクロメータを利用しアライメントするものが市販されている。
【０００３】
【特許文献１】特開平９−１６７８６９(段落００１４〜段落００２９、図１)
【非特許文献１】ナノロール（登録商標）フレクシャー回転ステージ、レーザー＆オプティクスガイド  精密位置決め装置および光学定盤、メレスグリオ株式会社、日本、２００５年度版、p.４−３
【発明の開示】
【発明が解決しようとする課題】
【０００４】
従来の光学部品アライメント治具は以上のように構成され、マイクロメータを利用したものは、高価であり、大きな空間を必要とし、実験室での利用を前提としているため、振動への対策が施されていない。また光学機器が光学部品を筺体の中に取り付けアライメントする場合には、固定ネジを用いて固定する場合が多いが、この固定ネジを締める時に、締める力が光学部品のホルダに掛かり、僅かに光学部品の方向が変わってしまい、アライメントがずれてしまうことが多く、作業に時間がかかっていた。これらのことより、光学部品の光軸の調整を安価に容易に行うことができないという課題があった。
【０００５】
この発明は上記のような課題を解決するためになされたもので、光学部品の光軸の調整を安価に容易に行うことができる光学部品アライメント治具を得ることを目的とする。
【課題を解決するための手段】
【０００６】
この発明に係る光学部品アライメント治具は、光軸を有する光学部品を設置し、切欠部を有する回転台と、回転台を設置するベース板と、回転台をベース板上に支持する固定ネジと、回転台の切欠部と接するようにベース板に設置され、回転中心と外周円が偏心したカムとを備え、カムを回転させ、回転台を固定ネジを支点として回転させることにより、光学部品の光軸を調整するものである。
【発明の効果】
【０００７】
この発明によれば、光学部品の光軸の調整を安価に容易に行うことができるという効果を奏する。
【発明を実施するための最良の形態】
【０００８】
実施の形態１．
図１は実施の形態１における光学部品アライメント治具の平面図であり、図２は正面図であり、図３は側面図である。
これらの図における光学部品アライメント治具は、レンズ保持具１と、レンズ２と、回転台３と、カム４と、ベース板５と、固定ネジ６（固定ネジ６ａ及び固定ネジ６ｂ）と、バネ７と、ネジ穴８と、切欠部１０により構成される。光学部品はレンズ２とレンズ保持具１を合わせたものであり、矢印９はカム４の回転に伴って回転台３が回転する方向であり、切欠部１０はテーパ部１０ａを有する。
【０００９】
ここで、光軸を有するレンズ２は例えばレーザ装置に設置される光学部品の一例であり、レンズ以外でもミラー等でも良い。レンズ保持具１はレンズ２を固定するものである。
【００１０】
回転台３はレンズ保持具１を設置するものであり、レンズ保持具１はレンズ２を保持しているので、回転台３が光軸を有するレンズ２及びレンズ保持具１（光学部品）を設置していることになる。回転台３は、レンズ２の光軸を調整できるように、ベース板５に対し固定ネジ６ａを支点として水平方向に回転する。切欠部１０は、回転台３に設けられ、カム４と接する切欠部１０にテーパ部１０ａを有し、回転台３に対してバネ７の反対側に設けられている。
【００１１】
固定ネジ６ａは回転台３をベース板５の上に支持するものであり、回転台３の回転の支点である。固定ネジ６ｂも回転台３をベース板５の上に支持するものであり、固定ネジ６(固定ネジ６ａ及び固定ネジ６ｂ)を緩めた状態で、回転台３はベース板５に対して水平方向に回転することができ、固定ネジ６を締めた状態で、回転台３はベース板５に対する位置を決定する。
【００１２】
バネ７は、固定ネジ６ａからカム４の方向に、ベース板５に対して水平方向に付勢するものであり、回転台３をカム４にある程度の力で押し付けることにより、回転台３の切欠部１０のテーパ部１０ａとカム４が２点で接する。
【００１３】
カム４はレンズ２の光軸を調整するものであり、回転台３に対してバネ７の反対側に設置し、テーパ部１０ａと接するようにベース板５の上に設置され、カム４の外周円はカム４の回転中心から偏心している。カム４は、下部に突起部４ａを有し、この突起部４ａがベース板５に挿入される。カム４はテーパ部１０ａと接し、カム４が回転すると、切欠部１０のテーパ部１０ａを介して、カム４の回転力が回転台３に伝達し、カム４の外周円は回転中心から偏心しているため、回転台３は固定ネジ６ａを支点として矢印９の方向に回転し、つまりレンズ２が矢印９の方向に回転し、光軸の角度が変化する。
【００１４】
またカム４が大きく回転しても、矢印９で示された回転台３の回転角度は小さいので、レンズ２の光軸を微調整することができる。またカム４は例えば６角レンチなどで回転することができる穴を上面に設け、カム４を回転させることもできる。
【００１５】
ベース板５は光学部品アライメント治具の土台であり、回転台３，カム４，バネ７を載せる。ネジ穴８はベース板５を例えばレーザ装置の筐体（図示せず）にネジで固定するものである。
【００１６】
レンズ２の光軸の調整の動作について説明する。
回転台３の上に固定されているレンズ２の光軸は、ネジ穴８を利用して固定ネジにより大雑把に決められ、その後のカム４を用いて微調整を行う。
【００１７】
カム４は回転台３の切欠部１０に接するように設置され、回転台３が、カム４の反対側からバネ７により、ある程度の力でカム４に押し付けられているため、カム４と回転台３の切欠部１０のテーパ部１０ａとは２点で接し、カム４とテーパ部１０の間には遊びが無い状態になる。
【００１８】
そしてこの状態で、カム４を回転させると、テーパ部１０ａを介して、カム４の回転力が回転台３に伝達し、カム４の外周円は回転中心から偏心しているため、回転台３を、固定ネジ６ａを支点として、矢印９の方向に回転させる。また回転台３の回転時でも、回転台３はバネ７により付勢されているので、カム４とテーパ部１０が２点で接する状態は維持され、カム４の回転力が回転台３に伝達し、回転台３は矢印９の方向に回転を続けるので、カム４を回転させることにより回転台３の方向を調整し、回転台３に固定されているレンズ２の光軸を調整し、決定する。
【００１９】
その後、レンズ２の光軸を決定した状態で、固定ネジ６を用いて回転台３をベース板５に固定し、レンズ２の向きを筐体に対して固定する。この時でも回転台３とカム４の遊びが無い状態であるので、固定ネジ６を締め込む時の回転力が回転台３に伝達しても、回転台３は影響を受けず、レンズ２の光軸を決定した状態のまま固定できる。
【００２０】
以上のように、実施の形態１によれば、光学部品アライメント治具は、光軸を有するレンズ２及びレンズ保持具１を設置し、切欠部１０を有する回転台３と、回転台３を設置するベース板５と、回転台３をベース板５上に支持する固定ネジ６ａと、回転台３の切欠部１０と接するようにベース板５に設置され、回転中心と外周円が偏心したカム４とを備え、カム４を回転させ、回転台３を固定ネジ６ａを支点として回転させることにより、レンズ２の光軸を調整することにより、光学部品の光軸の調整を安価に容易に行うことができるという効果を奏する。
【００２１】
また実施の形態１によれば、光学部品アライメント治具は、固定ネジ６を締めるときでもレンズ２の光軸を決定した状態がずれることがなく、短時間でアライメントが完了するので、レンズ２の光軸を決定した状態のままで固定することができ、作業性が向上するという効果を奏する。
【００２２】
また実施の形態１によれば、光学部品アライメント治具は、大きな空間を必要としないため、例えばレーザ装置を小型化でき、また安価できるという効果を奏する。
【図面の簡単な説明】
【００２３】
【図１】この発明の実施の形態１における光学部品アライメント治具の平面図である。
【図２】この発明の実施の形態１における光学部品アライメント治具の正面図である。
【図３】この発明の実施の形態１における光学部品アライメント治具の側面図である。
【図４】従来のレーザ装置の構成例を示す図である。
【符号の説明】
【００２４】
１  レンズ保持具、２  レンズ、３  回転台、４  カム、４ａ  突起部、５  ベース板、６  固定ネジ、６ａ  固定ネジ、６ｂ  固定ネジ、７  バネ、８  ネジ穴、９  矢印、１０  切欠部、１０ａ  テーパ部、１０６，１０７  ミラー、１０８，１０９，１１０，１１１，１１２  レンズ。
【図１】
2008145528.tif 000003
【図２】
2008145528.tif 000004
【図３】
2008145528.tif 000005
【図４】
2008145528.tif 000006